(57)【特許請求の範囲】
【請求項１】
スノーボードに固定可能に構成されるベース部材と、前記ベース部材の後方位置に接続され、ブーツの後面を支持するハイバックと、前記ベース部材の前側の左右の側部に形成された保持部に基部が保持される一対の爪先ストラップと、前記ベース部材の後側の左右の側部に形成された保持部に基部が保持される一対の甲ストラップとを有し、前記一対の爪先ストラップは、いずれか一方の爪先ストラップの自由端部に第１のバックルが固定され、いずれか他方の爪先ストラップには前記第１のバックルに対して位置調整可能に係合可能な複数のラチェット歯が形成され、前記一対の甲ストラップは、いずれか一方の甲ストラップの自由端部に第２のバックルが固定され、いずれか他方の甲ストラップには前記第２のバックルに対して位置調整可能に係合可能な複数のラチェット歯が形成され、前記ベース部材の保持部には、夫々前記基部の幅広面と対向して配置される保持部幅広面と、前記基部の幅狭面と対向して配置される保持部幅狭面が形成され、前記一対の爪先ストラップおよび前記一対の甲ストラップの夫々のストラップの基部が前記ベース部材の保持部よりも上方に移動することを防止する抜け止め手段を有するスノーボード用ビンディングにおいて、
少なくとも前記爪先ストラップと甲ストラップの何れかのストラップの、少なくとも一方もしくは他方の何れかのストラップにおいては、前記ストラップの基部と前記ベース部材の保持部との保持状態において、前記ストラップの基部に下方に移動する力が作用した際に、前記ベース部材の保持部と前記ストラップの基部間に前記ストラップの基部が下方に移動する力に対して抵抗する抵抗力発生手段を有し、ビンディングがスノーボードへの未装着状態において、前記ストラップの基部に前記抵抗力発生手段による抵抗力よりも大きい下方に移動する力が作用した際に、前記ベース部材の保持部に対する前記ストラップの基部の保持状態が解除されるように構成されることを特徴とするスノーボード用ビンディング
【請求項２】
前記抵抗力発生手段が、前記ストラップの基部が前記ベース部材の保持部よりも下方に移動する際に少なくとも前記基部が弾性変形するように形成された、前記ストラップの基部と前記ベース部材との保持構造から構成されることを特徴とする請求項１記載のスノーボード用ビンディング
【請求項３】
前記抵抗力発生手段が、前記ストラップの基部が前記ベース部材の保持部よりも下方に移動する際に少なくとも前記保持部が弾性変形するように形成された、前記ストラップの基部と前記ベース部材との保持構造から構成されることを特徴とする請求項１記載のスノーボード用ビンディング
【請求項４】
前記抵抗力発生手段が、前記ストラップの基部が前記ベース部材の保持部よりも下方に移動する際に前記基部と前記保持部が夫々弾性変形するように形成された、前記ストラップの基部と前記ベース部材との保持構造から構成されることを特徴とする請求項１記載のスノーボード用ビンディング
【請求項５】
前記ストラップの基部の幅広面の左右中間位置には突出部が形成され、前記保持部の幅広面には前記ストラップの突出部が下方から進入可能な溝部が形成され、前記ストラップの基部の前記ベース部材の保持部との保持位置における、前記溝部の前記突出部との当接位置と、前記保持部の幅狭面の前記基部の幅狭面との当接位置間の距離よりも、前記ストラップの基部の前記ベース部材の保持部との保持位置よりも下方における、前記溝部の前記突出部との当接位置と、前記保持部の幅狭面の前記基部の幅狭面との当接位置間の距離の方が狭く構成されることによって、前記抵抗力発生手段が構成されることを特徴とする請求項1〜請求項４の何れか１項記載のスノーボード用ビンディング
【請求項６】
前記保持部幅広面には前記ストラップの突出部が進入する第１の溝部と第２の溝部が形成され、前記ストラップの基部の前記ベース部材の保持部との保持位置における、前記第１の溝部の前記突出部との当接位置と、前記保持部の幅狭面の前記基部の幅狭面との当接位置間の距離よりも、前記ストラップの基部の前記ベース部材の保持部との保持位置よりも下方における、前記第１の溝部の前記突出部との当接位置と、前記保持部の幅狭面の前記基部の幅狭面との当接位置間の距離の方が狭く構成され、前記ストラップの基部の前記ベース部材の保持部との保持位置における、前記第２の溝部の前記突出部との当接位置と、前記保持部の幅狭面の前記基部の幅狭面との当接位置間の距離よりも、前記ストラップの基部の前記ベース部材の保持部との保持位置よりも下方における、前記第２の溝部の前記突出部との当接位置と、前記保持部の幅狭面の前記基部の幅狭面との当接位置間の距離の方が狭く構成されることによって、前記第１の溝部と第２の溝部の何れの溝部に前記ストラップの突出部を進入させた場合においても、前記ストラップの基部に下方に移動する力が作用した際に、前記抵抗力発生手段が作動するように構成されることを特徴とする請求項５記載のスノーボード用ビンディング
【請求項７】
前記抜け止め手段が、前記溝部の上面と前記突出部の上面との当接可能な構造によって構成されることを特徴とする請求項５または６の何れか１項記載のスノーボード用ビンディング
【請求項８】
前記抵抗力発生手段によって発生する抵抗力は、ビンディングをスノーボードに固定する前の状態における前記第１のバックルまたは、第２のバックルの重量を含む前記ストラップの自重によってストラップの基部が下方に移動する力よりも大きくなるように構成されることを特徴とする請求項１〜７の何れか１項記載のスノーボード用ビンディング。
【発明の詳細な説明】
【技術分野】
【０００１】
本発明は、ベース部材がストラップの基部の保持機構を有するスノーボード用ビンディングに関する。
【背景技術】
【０００２】
従来のスノーボード用ビンディングにおける、ストラップの保持機構として、実用新案登録第３０８１３９７号公報が公知であり、この先行技術では、図１２に示すように、ビンディングのベース部１０１をスノーボード１００に固定した状態において、ビンディングに設けられた複数の保持部１１７に対する爪先側ストラップ１０３の突出部１３１と、甲側ストラップ１０４の突出部１４１の保持位置の変更が、工具を使用すること無く操作可能である共に、ビンディングに対する夫々のストラップ１０３、１０４の保持部１１７の変更操作を行わない場合は、ビンディングの保持部１１７に対する夫々のストラップ１０３、１０４の保持位置が維持される様に構成されたビンディングが開示されている。
【０００３】
前記先行技術では、夫々のストラップ１０３、１０４の装着端部は夫々一体型ヒンジ１３２、１４２として形成され、乗り手が夫々のストラップ１０３、１０４をつかんでそれをスノーボード１００に向かって押付けたときに一時的に圧縮するか、またはつぶれて、夫々のストラップ１０３、１０４の保持部１１７から解放される構造が示されている。
【０００４】
しかしながら、前記、実用新案登録第３０８１３９７号公報に開示される技術では、ビンディングをスノーボード１００に固定する前の単品状態では爪先側ストラップ１０３には保持手段が設けられていないため、ユーザーがビンディングをスノーボード１００に固定する際もしくは固定後に、爪先側ストラップ１０３の保持部１１７を調整する必要があり、更に、スノーボード１００からビンディングを取り外した状態ではベース部１０１から爪先側ストラップ１０３が簡単に脱落してしまう構成であるため、爪先ストラップ１０３を紛失する不具合があった。
【０００５】
更に、前記、実用新案登録第３０８１３９７号公報に開示される技術では、甲側ストラップ１０４がベース部から脱落することを防ぎ、任意の位置に保持するために、ベース部１０１に甲側ストラップ１０４を装着した後に、ベース部１０１の前記甲側ストラップ１０４の下端部と当接する位置に、ベース部１０１と別部品で構成されたフロア部１１１を形成する必要があるため、部品点数が多くなりコストが増大する欠点があった。
【先行技術文献】
【特許文献】
【０００６】
【特許文献１】実用新案登録第３０８１３９７号公報
【発明の概要】
【発明が解決しようとする課題】
【０００７】
本発明のスノーボード用ビンディングは、安価な構成によって、ビンディングをスノーボードに固定する前の状態においてバックルを含むストラップの自重によって、ベース部材の保持部に対する前記ストラップの基部の保持状態が解除されないよう構成されることを課題とし、更にビンディングをスノーボードに固定する前の状態において工具を使用すること無くビンディングに対するストラップの保持位置の変更操作を可能とすると共に、ビンディングをスノーボードに固定した状態においては、ビンディングに対するストラップの保持位置の変更が困難な様に構成することを課題とする。
【課題を解決するための手段】
【０００８】
本発明のスノーボード用ビンディングは、スノーボードに固定可能に構成されるベース部材と、前記ベース部材の後方位置に接続され、ブーツの後面を支持するハイバックと、前記ベース部材の前側の左右の側部に形成された保持部に基部が保持される一対の爪先ストラップと、前記ベース部材の後側の左右の側部に形成された保持部に基部が保持される一対の甲ストラップとを有し、前記一対の爪先ストラップは、いずれか一方の爪先ストラップの自由端部に第１のバックルが固定され、いずれか他方の爪先ストラップには前記第１のバックルに対して位置調整可能に係合可能な複数のラチェット歯が形成され、前記一対の甲ストラップは、いずれか一方の甲ストラップの自由端部に第２のバックルが固定され、いずれか他方の甲ストラップには前記第２のバックルに対して位置調整可能に係合可能な複数のラチェット歯が形成され、前記ベース部材の保持部には、夫々前記基部の幅広面と対向して配置される保持部幅広面と、前記基部の幅狭面と対向して配置される保持部幅狭面が形成され、前記一対の爪先ストラップおよび前記一対の甲ストラップの夫々のストラップの基部が前記ベース部材の保持部よりも上方に移動することを防止する抜け止め手段を有するスノーボード用ビンディングにおいて、少なくとも前記爪先ストラップと甲ストラップの何れかのストラップの、少なくとも一方もしくは他方の何れかのストラップにおいては、前記ストラップの基部と前記ベース部材の保持部との保持状態において、前記ストラップの基部に下方に移動する力が作用した際に、前記ベース部材の保持部と前記ストラップの基部間に前記ストラップの基部が下方に移動する力に対して抵抗する抵抗力発生手段を有し、ビンディングがスノーボードへの未装着状態において、前記ストラップの基部に前記抵抗力発生手段による抵抗力よりも大きい下方に移動する力が作用した際に、前記ベース部材の保持部に対する前記ストラップの基部の保持状態が解除されるように構成されることを特徴とする。
【０００９】
更に、前記ビンディングがスノーボードへの未装着状態において、前記ストラップの基部に前記抵抗力発生手段による抵抗力よりも大きい下方に移動する力が作用した際に、前記ベース部材の保持部に対する前記ストラップの基部の保持状態が解除されるように構成されるとよい。
【００１０】
更に、前記抵抗力発生手段が、前記ストラップの基部が前記ベース部材の保持部よりも下方に移動する際に少なくとも前記基部が弾性変形するように形成された、前記ストラップの基部と前記ベース部材との保持構造から構成されるとよい。
【００１１】
また、前記抵抗力発生手段が、前記ストラップの基部が前記ベース部材の保持部よりも下方に移動する際に少なくとも前記保持部が弾性変形するように形成された、前記ストラップの基部と前記ベース部材との保持構造から構成してもよい。
【００１２】
また、前記抵抗力発生手段が、前記ストラップの基部が前記ベース部材の保持部よりも下方に移動する際に前記基部と前記保持部が夫々弾性変形するように形成された、前記ストラップの基部と前記ベース部材との保持構造から構成してもよい。
【００１３】
更に、前記ストラップの基部の幅広面の左右中間位置には突出部が形成され、前記保持部の幅広面には前記ストラップの突出部が下方から進入可能な溝部が形成され、前記ストラップの基部の前記ベース部材の保持部との保持位置における、前記溝部の前記突出部との当接位置と、前記保持部の幅狭面の前記基部の幅狭面との当接位置間の距離よりも、前記ストラップの基部の前記ベース部材の保持部との保持位置よりも下方における、前記溝部の前記突出部との当接位置と、前記保持部の幅狭面の前記基部の幅狭面との当接位置間の距離の方が狭く構成されることによって、前記抵抗力発生手段が構成されるとよい。
【００１４】
更に、前記保持部幅広面には前記ストラップの突出部が進入する第１の溝部と第２の溝部が形成され、前記ストラップの基部の前記ベース部材の保持部との保持位置における、前記第１の溝部の前記突出部との当接位置と、前記保持部の幅狭面の前記基部の幅狭面との当接位置間の距離よりも、前記ストラップの基部の前記ベース部材の保持部との保持位置よりも下方における、前記第１の溝部の前記突出部との当接位置と、前記保持部の幅狭面の前記基部の幅狭面との当接位置間の距離の方が狭く構成され、前記ストラップの基部の前記ベース部材の保持部との保持位置における、前記第２の溝部の前記突出部との当接位置と、前記保持部の幅狭面の前記基部の幅狭面との当接位置間の距離よりも、前記ストラップの基部の前記ベース部材の保持部との保持位置よりも下方における、前記第２の溝部の前記突出部との当接位置と、前記保持部の幅狭面の前記基部の幅狭面との当接位置間の距離の方が狭く構成されることによって、前記第１の溝部と第２の溝部の何れの溝部に前記ストラップの突出部を進入させた場合においても、前記ストラップの基部に下方に移動する力が作用した際に、前記抵抗力発生手段が作動するように構成されるとよい。
【００１５】
更に、前記抜け止め手段が、前記溝部の上面と前記突出部の上面との当接可能な構造によって構成されるとよい。
【００１６】
前記抵抗力発生手段によって発生する抵抗力は、ビンディングをスノーボードに固定する前の状態における前記第１のバックルまたは、第２のバックルの重量を含む前記ストラップの自重によってストラップの基部が下方に移動する力よりも大きくなるように構成されるとよい。
【発明の効果】
【００１７】
本発明のスノーボード用ビンディングは、安価な構成によって、ビンディングをスノーボードに固定する前の状態においてバックルを含むストラップの自重によって、ベース部材の保持部に対する前記ストラップの基部の保持状態が解除されないよう構成されるため、前記ストラップの紛失を防止できる効果を有する。
【００１８】
更に工具を使用すること無く、ビンディングに対するストラップの保持位置の変更操作を可能とするできる効果を有する。
【図面の簡単な説明】
【００１９】
【図１】本発明の第１の実施形態に係るスノーボード用ビンディングの組み立て状態を示す斜視図である。
【図２】本発明の第１の実施形態に係るスノーボード用ビンディングのベース部材の保持部に対して他方の爪先ストラップが保持されていない状態を示す要部断面図である。
【図３】本発明の第１の実施形態に係るスノーボード用ビンディングのベース部材の保持部に対する他方の爪先ストラップの着脱過程の状態を示す要部断面図である。
【図４】本発明の第１の実施形態に係るスノーボード用ビンディングのベース部材の保持部に対して他方の爪先ストラップが保持されている状態を示す要部断面図である。
【図５】本発明の第１の実施形態に係るスノーボード用ビンディングのベース部材の保持部に対して他方の爪先ストラップが保持されていない状態を示す要部断面図である。
【図６】本発明の第１の実施形態に係るスノーボード用ビンディングのベース部材の保持部に対する他方の爪先ストラップの着脱過程の状態を示す要部断面図である。
【図７】本発明の第１の実施形態に係るスノーボード用ビンディングのベース部材の保持部に対して他方の爪先ストラップが保持されている状態を示す要部断面図である。
【図８】本発明の第１の実施形態に係るスノーボード用ビンディングの図７のＡＡ線断面図である。
【図９】本発明の第２の実施形態に係るスノーボード用ビンディングの組み立て状態を示す斜視図である。
【図１０】本発明の第２の実施形態に係るスノーボード用ビンディングのベース部材の保持部に対して他方の爪先ストラップが保持されている状態を示す要部断面図である。
【図１１】本発明の第２の実施形態に係るスノーボード用ビンディングの図１０のＢＢ線断面図である。
【図１２】従来技術の例を示す要部断面図である。
【発明を実施するための形態】
【実施例１】
【００２０】
以下、添付された図面を参照して、本発明のスノーボード用ビンディングの第１実施例を説明する。
【００２１】
図１〜図８に示すように、本実施例のスノーボード用ビンディングは、スノーボードに固定可能に構成されるベース部材１と、前記ベース部材１の後方位置に接続され、ブーツの後面を支持するハイバック２と、前記ベース部材１の前側の左右の側部に形成された保持部１１に基部３１が保持される一対の爪先ストラップ３と、前記ベース部材１の後側の左右の側部に形成された保持部１１に基部３１が保持される一対の甲ストラップ４とを有する。
【００２２】
前記ベース部材１と前記ハイバック２は、ＰＡ（ナイロン樹脂）やＰＵ（ポリウレタン樹脂）等の熱可塑性樹脂によって形成されるが、ＦＲＰやカーボン、金属等を、一部もしくは全体に用いても良い。また、前記爪先ストラップ３と甲ストラップ４はポリウレタンエラストマやゴム、ＰＰ（ポリプロピレン樹脂）等の柔軟性を有する素材によって形成されるが、ブーツとの当接部には、既存の更に柔軟な素材で構成された爪先パット部材３２および甲パット部材４２を配置することができ、また夫々の基部３１においては、より剛性の高い素材を接合して構成してもよい。
【００２３】
前記一対の爪先ストラップ３は、一方の爪先ストラップ３ａの自由端部に第１のバックル３３が固定され、他方の爪先ストラップ３ｂには前記第１のバックル３３に対して位置調整可能に係合可能な複数のラチェット歯３４が形成され、前記一対の甲ストラップ４は、一方の甲ストラップ４ａの自由端部に第２のバックル４３が固定され、他方の甲ストラップ４ｂには前記第２のバックル４３に対して位置調整可能に係合可能な複数のラチェット歯４４が形成される。
【００２４】
前記ベース部材１の保持部１１には、夫々前記基部３１の幅広面３５と対向して配置される保持部１１の幅広面１５と、前記基部３１の幅狭面３６と対向して配置される保持部１１の幅狭面１６が形成され、更に、前記一対の爪先ストラップ３および前記一対の甲ストラップ４の夫々のストラップの基部３１が前記ベース部材１の保持部１１よりも上方に移動することを防止する抜け止め手段を有する。
【００２５】
一方および他方の前記爪先ストラップ３ａ、３ｂと、一方および他方の前記甲ストラップ４ａ、４ｂの、夫々のストラップの基部３１と前記ベース部材の保持部１１との保持状態において、前記ストラップの基部３１に下方に移動する力が作用した際に、前記ベース部材の保持部１１と前記ストラップの基部３１には、前記ストラップの基部３１が下方に移動する力に対して抵抗する抵抗力発生手段が設けられる。尚、前記爪先ストラップ４と甲ストラップ４の一方および他方のストラップ３ａ、３ｂ、４ａ、４ｂの中の一部のストラップと前記ベース部材１との固定構造に本発明の構成を使用せず、既存の固定構造を用いてもよい。
【００２６】
本発明における前記ストラップ３、４の基部３１と前記ベース部材１の保持部１１との保持構造は、前記ストラップ３、４が柔軟な素材によって形成されるため、前記ストラップの基部３１が、前記ベース部材１の保持部１１よりも下方に移動し、前記基部３１の幅狭面３６が前記保持部の幅狭面１６と当接した際に、主として前記ストラップの基部３１に弾性変形が生ずる構造となっていることによって前記抵抗力発生手段が構成される。尚、前記ストラップの基部３１が、前記ベース部材の保持部１１よりも下方に移動する際に、前記ストラップの基部３１の弾性変形量を増大させるために、ストラップの基部３１の幅広面３５に表面から裏面に貫通する溝部を形成してもよい。（図示せず）
【００２７】
更に、本実施例の前記ストラップの基部３１と前記ベース部材の保持部１１との保持構造においては、前記ベース部材の保持部１１は熱可塑性樹脂で形成されるため、前記ストラップの基部３１が前記ベース部材の保持部１１よりも下方に移動し、前記基部３１の幅狭面３６が前記保持部の幅狭面１６と当接している状態において、前記保持部の幅狭面１６にも若干の弾性変形が生じ、前記抵抗力発生手段に補助的に関与するように構成される。
【００２８】
また、前記ストラップの基部３１の両面の幅広面３５の左右中間位置に突出部３７が形成され、前記ストラップの基部３１の両面の幅広面３５と夫々対向する保持部の幅広面１５に前記ストラップの突出部３７が下方から進入可能な溝部１７が形成され、前記突出部３７の上面が前記溝部１７の上端に当接する事によって、本実施例の抜け止め手段が構成される。
【００２９】
尚、前記ストラップの基部３１に形成される突出部３７を前記ストラップの基部３１の片面のみの幅広面３５の左右中間位置に形成し、前記ストラップの基部３１の突出部形成面と対向する保持部の幅広面１５に、前記ストラップの突出部３７が下方から進入可能な溝部１７を形成してもよい。尚、本実施例において前記突出部３７は前記ストラップの基部３１と一体に構成されるが、例えば前記ストラップの基部３１に孔を形成し、ピン状部材を挿入することによって突出部を形成するなど、他の既存の技術を用いて前記突出部３７を基部３１に形成しても良い。
【００３０】
前記ストラップの基部３１の前記ベース部材の保持部１１との保持位置における、前記溝部１７の前記突出部３７との当接位置と、前記保持部の幅狭面１６の前記基部の幅狭面３６との当接位置間の距離よりも、前記ストラップの基部３１の前記ベース部材の保持部１１との保持位置よりも下方における、前記溝部１７の前記突出部３７との当接位置と、前記保持部の幅狭面１６の前記基部の幅狭面３６との当接位置間の距離の方が狭く構成されることによって、前記抵抗力発生手段が構成される。
【００３１】
更に、本実施例においては、前記保持部の幅広面１５に形成される前記溝部１７が、第１の溝部１７ａと第２の溝部１７ｂの２つの溝部からなり、前記ストラップの基部３１の前記ベース部材の保持部１１との保持位置における、前記第１の溝部１７ａの前記突出部３７との当接位置と、前記保持部の幅狭面１６の前記基部３１の幅狭面３６との当接位置間の距離よりも、前記ストラップの基部３１の前記ベース部材の保持部１１との保持位置よりも下方における、前記第１の溝部１７ａの前記突出部３７との当接位置と、前記保持部の幅狭面１６の前記基部３１の幅狭面３６との当接位置間の距離の方が狭く構成され、前記ストラップの基部３１の前記ベース部材の保持部１１との保持位置における、前記第２の溝部１７ｂの前記突出部３７との当接位置と、前記保持部の幅狭面１６の前記基部３１の幅狭面３６との当接位置間の距離よりも、前記ストラップの基部３１の前記ベース部材の保持部１１との保持位置よりも下方における、前記第２の溝部１７ｂの前記突出部３７との当接位置と、前記保持部の幅狭面１６の前記基部３１の幅狭面３６との当接位置間の距離の方が狭く構成されることによって、前記第１の溝部１７ａと第２の溝部１７ｂの何れの溝部に前記ストラップの突出部３７を進入させた場合においても、前記ストラップの基部３１に下方に移動する力が作用した際に、前記抵抗力発生手段が作動するように構成され、それにより本発明のビンディングを工具を使用せずに、一方および他方の前記爪先ストラップ３ａ、３ｂ及び甲ストラップ４ａ、４ｂの基部３１の夫々の前記ベース部の保持部１１に対する複数の固定位置を選択可能に構成できると共に、前記抵抗力発生手段によって夫々の前記ストラップ３、４が自重によって落下せず、前記ベース部材の保持部１１との保持状態が維持できるため、固定位置を不用意に変更してしまうことを防止することができる。
【００３２】
尚、前記ベース部材の保持位置に前記ストラップの基部３１を保持した際に、前記ベース部材の保持部１１に対する前記ストラップの基部３１の回動動作が容易に行えるように、前記ストラップの基部３１の前記ベース部材の保持部１１との保持位置における、前記第１の溝部１７ａの前記突出部３７との当接位置と、前記保持部の幅狭面１６の前記基部の幅狭面３６との当接位置間の距離と、前記突出部３７の前記第１の溝部１７ａとの当接位置と、前記基部の幅狭面３６の前記保持部の幅狭面１６との当接位置間の距離は、同等か、若干前記第１の溝部１７ａの前記突出部３７との当接位置と、前記保持部の幅狭面１６の前記基部の幅狭面３６との当接位置間の距離の方が大きく構成することが望ましく、前記抵抗力発生手段が作動するためには、前記ストラップの基部３１の前記ベース部材の保持部１１との保持位置よりも下方における、前記第１の溝部１７ａの前記突出部３７との当接位置と、前記保持部の幅狭面１６の前記基部の幅狭面３６との当接位置間の距離と、前記突出部３７の前記第１の溝部１７ａとの当接位置と、前記基部の幅狭面３６の前記保持部の幅狭面１６との当接位置間の距離は、前記第１の溝部１７ａの前記突出部３７との当接位置と、前記保持部の幅狭面１６の前記基部の幅狭面３６との当接位置間の距離の方が小さく構成する必要がある。
【００３３】
また、前記ベース部材の保持位置に前記ストラップの基部３１を保持した際に、前記ベース部材の保持部１１に対する前記ストラップの基部３１の回動動作が容易に行えるように、前記ストラップの基部３１の前記ベース部材の保持部１１との保持位置における、前記第２の溝部１７ｂの前記突出部３７との当接位置と、前記保持部の幅狭面１６の前記基部の幅狭面３６との当接位置間の距離と、前記突出部３７の前記第２の溝部１７ｂとの当接位置と、前記基部の幅狭面３６の前記保持部の幅狭面１６との当接位置間の距離は、同等か、若干前記第２の溝部１７ｂの前記突出部３７との当接位置と、前記保持部の幅狭面１６の前記基部の幅狭面３６との当接位置間の距離の方が大きく構成することが望ましく、前記抵抗力発生手段が作動するためには、前記ストラップの基部３１の前記ベース部材の保持部１１との保持位置よりも下方における、前記第２の溝部１７ｂの前記突出部３７との当接位置と、前記保持部の幅狭面１６の前記基部の幅狭面３６との当接位置間の距離と、前記突出部３７の前記第２の溝部１７ｂとの当接位置と、前記基部の幅狭面３６の前記保持部の幅狭面１６との当接位置間の距離は、前記第２の溝部１７ｂの前記突出部３７との当接位置と、前記保持部の幅狭面１６の前記基部の幅狭面３６との当接位置間の距離の方が小さく構成する必要がある。
【実施例２】
【００３４】
以下、添付された図面を参照して、本発明のスノーボード用ビンディングの第２実施例を説明する。
【００３５】
図９〜図１１に示すように、実施例２のスノーボード用ビンディングは、実施例１で示すスノーボード用ビンディングの抵抗力発生手段に対する変形例であり、スノーボードに固定可能に構成されるベース部材５と、前記ベース部材５の後方位置に接続され、ブーツの後面を支持するハイバック２と、前記ベース部材５の前側の左右の側部に形成された保持部５１に基部６１が保持される一対の爪先ストラップ６と、前記ベース部材５の後側の左右の側部に形成された保持部５１に基部６１が保持される一対の甲ストラップ７とを有する。
【００３６】
前記一対の爪先ストラップ６は、一方の爪先ストラップ６ａの自由端部に第１のバックル６３が固定され、他方の爪先ストラップ６ｂには前記第１のバックル６３に対して位置調整可能に係合可能な複数のラチェット歯６４が形成され、前記一対の甲ストラップ７は、一方の甲ストラップ７ａの自由端部に第２のバックル７３が固定され、他方の甲ストラップ７ｂには前記第２のバックル７３に対して位置調整可能に係合可能な複数のラチェット歯７４が形成される。
【００３７】
前記ベース部材５の保持部５１には、夫々前記基部６１の幅広面６５と対向して配置される保持部５１の幅広面５５と、前記一対の爪先ストラップ６および前記一対の甲ストラップ７の夫々のストラップの基部６１が前記ベース部材５の保持部５１よりも上方に移動することを防止する抜け止め手段を有する。
【００３８】
前記爪先ストラップ６と甲ストラップ７の、一方および他方のストラップ６ａ、６ｂ、７ａ、７ｂは、夫々、前記ストラップの基部６１と前記ベース部材の保持部５１との保持状態において、前記ストラップの基部６１に下方に移動する力が作用した際に、前記ベース部材の保持部５１と前記ストラップの基部６１には、前記ストラップの基部６１が下方に移動する力に対して抵抗する抵抗力発生手段が設けられる。尚、前記爪先ストラップ６と甲ストラップ７の一方および他方のストラップ６ａ、６ｂ、７ａ、７ｂの中の一部のストラップと前記ベース部材５との固定構造に本発明の構成を使用せず、既存の固定構造を用いてもよい。
【００３９】
本実施例においては、前記保持部５１の幅広面５５の下方に、対向する幅広面５５に向かって突出する突起部５８が形成され、前記ストラップ６、７は柔軟な素材によって形成されるため、前記ストラップの基部６１が、前記ベース部材５の保持部５１よりも下方に移動し、前記基部６１の幅広面６５が前記保持部の幅広面５５に形成された突起部５８と当接した際に、主として前記ストラップの基部６１に弾性変形が生ずる構造となっていることによって前記抵抗力発生手段が構成される。尚、本実施例における前記抵抗力発生手段は、前記ストラップの基部６１が容易に弾性変形するように、ストラップの基部の幅広面６５の間に溝部６８を形成し、前記ストラップの基部６１が前記ベース部材の保持部５１よりも下方に移動する際に、前記ストラップの基部６１の幅広面同士の距離が短縮する方向に弾性変形する構成を用いるとよい。
【００４０】
更に、本実施例の前記ストラップの基部６１と前記ベース部材の保持部５１との保持構造においては、前記ベース部材の保持部５１は熱可塑性樹脂で形成されるため、前記ストラップの基部６１が前記ベース部材の保持部５１よりも下方に移動し、前記基部６１の幅広面６５が前記保持部幅広面５５に形成された突起部５８と当接している状態において、前記保持部の幅広面５５にも弾性変形が生じ、前記抵抗力発生手段に関与するように構成されるとよい。
【００４１】
前記ストラップの基部６１の両面の幅広面６５の左右中間位置に突出部６７が形成され、前記ストラップ６、７の基部６１の両面の幅広面６５と夫々対向する保持部の幅広面５５の両面に前記ストラップの突出部６７が下方から進入可能な溝部５７が形成され、前記突出部６７の上面が前記溝部５７の上端に当接する事によって、本実施例の抜け止め手段が構成される。
【００４２】
尚、前記ストラップの基部６１に形成される突出部６７を前記ストラップの基部６１の片面のみの幅広面６５の左右中間位置に形成し、前記ストラップの基部６１の突出部形成面と対向する保持部の幅広面５５に、前記ストラップの突出部６７が下方から進入可能な溝部５７を形成してもよい。尚、本実施例において前記突出部６７は前記ストラップの基部６１と一体に構成されるが、例えば前記ストラップの基部６１に孔を形成し、ピン状部材を挿入することによって突出部を形成するなど、他の既存の技術を用いて前記突出部６７を基部６１に形成しても良い。
【００４３】
更に、本実施例においては、前記保持部の幅広面５５に形成される前記溝部５７が、第１の溝部５７ａと第２の溝部５７ｂの２つの溝部からなり、前記第１の溝部５７ａと第２の溝部５７ｂの何れの溝部に前記ストラップの突出部６７を進入させた場合においても、前記ストラップの基部６１に下方に移動する力が作用した際に、前記抵抗力発生手段が作動するように構成され、それにより本発明のビンディングに対して、工具を使用せずに、一方および他方の前記爪先ストラップ６ａ、６ｂ及び甲ストラップ７ａ、７ｂの基部６１の夫々の前記ベース部の保持部５１に対する複数の固定位置を選択可能に構成できると共に、前記抵抗力発生手段によって夫々の前記ストラップ６、７が自重によって落下せず、前記ベース部材の保持部５１との保持状態が維持できるため、固定位置を不用意に変更してしまうことを防止することができる。
【００４４】
尚、前記ベース部材の保持部５１に前記ストラップの基部６１を保持した際に、前記ベース部材の保持部５１に対する前記ストラップの基部６１の回動動作が容易に行えるように、前記ベース部材の保持部５１の幅狭面５６の幅ｅ１と、前記ストラップの基部６１の幅狭面６６の幅は、同等か、若干前記ベース部材の保持部５１の幅狭面５６の幅の方が大きく構成することが望ましく、前記抵抗力発生手段が作動するためには、前記ベース部材の保持部５１の幅狭面５６に形成された突起部５８の先端間の幅と、前記ストラップの基部６１の幅狭面６６の幅では、前記ベース部材の保持部５１の幅狭面５６に形成された突起部５８の先端間の幅の方が小さくなるように構成する必要がある。
【産業上の利用可能性】
【００４５】
本発明はベース部材がストラップの基部の保持機構を有するスノーボード用ビンディングとして、産業上有効に利用することができる。
【符号の説明】
【００４６】
１：ベース部材、２：ハイバック、３：爪先ストラップ、３ａ：一方の爪先ストラップ、３ｂ：他方の爪先ストラップ、４：甲ストラップ、４ａ：一方の甲ストラップ、４ｂ：他方の甲ストラップ、５：ベース部材、６：爪先ストラップ、６ａ：一方の爪先ストラップ、６ｂ：他方の爪先ストラップ、７：甲ストラップ、７ａ：一方の甲ストラップ、７ｂ：他方の甲ストラップ、１１：保持部、１５：幅広面、１６：幅狭面、１７：溝部、１７ａ：第１の溝部、１７ｂ：第２の溝部、３１：基部、３２：爪先パット部材、３３：第１のバックル、３４：ラチェット歯、３５：幅広面、３６：幅狭面、３７：突出部、４２：甲パット部材、４３：第２のバックル、４４：ラチェット歯、５１：保持部、５５：幅広面、５７：溝部、５７ａ：第１の溝部、５７ｂ：第２の溝部、５８：突起部、６１：基部、６３：第１のバックル、６４：ラチェット歯、６５：幅広面、６７：突出部、６８：溝部、７３：第２のバックル、７４：ラチェット歯、１００：スノーボード、１０１：ベース部、１０３：爪先側ストラップ、１０４：甲側ストラップ、１１１：フロア部、１１７：保持部、１３１：突出部、１３２：一体型ヒンジ、１４１：突出部、１４２：一体型ヒンジ
【図１】
0006767122.tif 000002
【図２】
0006767122.tif 000003
【図３】
0006767122.tif 000004
【図４】
0006767122.tif 000005
【図５】
0006767122.tif 000006
【図６】
0006767122.tif 000007
【図７】
0006767122.tif 000008
【図８】
0006767122.tif 000009
【図９】
0006767122.tif 000010
【図１０】
0006767122.tif 000011
【図１１】
0006767122.tif 000012
【図１２】
0006767122.tif 000013